(57)【要約】【課題】従来、飲食店舗の情報取得はシステム利用者がシステムに対して、自ら条件を指定し、絞り込みを掛けて取得をする必要があった。【解決手段】システムとして飲食店舗の提供するメニューの種類、味付け、造作など嗜好性に合わせたデータベース（以下、飲食店舗データベース）を有し、システム利用者に対して、好みにあう飲食店舗を提案する。システム利用者の好みをシステム開始時にシステムから提示される嗜好性に関する質問に解答，入力することで、システムから利用者へ好みに合う提案をし、システム利用者は承諾・拒否を選択する。システム利用者が承諾した飲食店舗へ行き、飲食店舗の評価をシステムに入力することで、飲食店舗データベースを更新し、システム利用者への提案の精度を向上していく。【選択図】図１
2020091820.tif 000002
【特許請求の範囲】
【請求項１】
利用者が利用する利用端末により利用者の嗜好性を基に所望する店舗条件に該当した店舗を検索するシステムであって，嗜好性質問記憶部から嗜好性質問配信部によって発信される嗜好性質問と利用者情報記憶部に記憶される利用者情報から得られる嗜好性情報を得る嗜好性取得部と，嗜好性情報を記憶する嗜好性記憶部と，嗜好性情報を店舗条件に変換する嗜好性処理部と，得られた店舗条件を記憶する店舗条件記憶部と，店舗条件と店舗情報記憶部に記憶される店舗情報から利用者に提案する提案店舗情を取得する店舗情報取得部と，提案店舗情報を利用端末へ配信する店舗情報配信部とを有することを特徴とする提案型飲食店検索システム
【発明の詳細な説明】
【技術分野】
【０００１】本発明は、飲食店検索システムにおいて、システム利用者が予め登録しておいた嗜好性データを元に，システム利用者が条件指定をして絞り込みをすることなく飲食店提案を実行し、且つシステム利用者の飲食店に対するフィードバックを元に提案精度を向上させていく提案型飲食店検索システムに関する。
【背景技術】
【０００２】システム利用者がインターネットに接続できる情報処理機器と実行アプリケーションを用いて予めアプリケーションに食の嗜好性データを登録し，登録された利用者の嗜好性に合わせて飲食店データベースからアプリケーションが利用者に合った飲食店を提案を実行，その提案を利用者が受諾・拒否する提案型飲食店検索システムが、特許文献１に記載されている。
【先行技術文献】
【特許文献】
【０００３】
【特許文献１】特開２０１２−２１５９６８
【発明の概要】
【発明が解決しようとする課題】
【０００４】しかしながら従来から知られている技術には以下のような課題があった。【０００５】特許文献１においては、利用者が要求する飲食店店舗情報を取得するために，要求する条件項目を利用者自らが検索システムに投稿し，その条件項目に合致する飲食店店舗情報を検索システムが取得して利用者へ提供する仕組みを構築している。【０００６】そのために，利用者が飲食店店舗検索を行う際に，毎度必ずシステムに対して自らが条件を指定して絞り込みをかける必要がある，という課題があった。
【課題を解決するための手段】
【０００７】課題を解決するための手段として、システムとして飲食店舗の提供するメニューの種類、味付け、造作など嗜好性に合わせたデータベース（以下、飲食店舗データベース）を有し、システム利用者に対して、好みにあう飲食店舗を提案する。
システム利用者の好みを，システム開始時にシステムから提示される質問に受動的に答えることで、システムから利用者へ好みに合う提案をし、システム利用者は承諾・拒否を選択する。
システム利用者が承諾した飲食店舗へ行き、飲食店舗の評価をシステムに入力することで、飲食店舗データベースを更新し、システム利用者への提案の精度を向上していく。
【発明の効果】
【０００８】本発明の手段では、システム利用者はシステム利用開始時に嗜好性の情報を入力することだけで飲食店の提案を受けられるようシステムが設計されていることから，自らが飲食店の条件を考えて絞り込む必要性が無くなり，迅速かつ手際よく好みの飲食店を発見することが可能となる効果がある。
【図面の簡単な説明】
【０００９】
【図１】  提案型飲食店検索システム構成例
【発明を実施するための形態】
【００１０】以下、発明の実施例を通じて本発明を説明するが、以下の実施例は特許請求の範囲にかかる発明を限定するものではない。また、実施例の中で説明されている特徴の組み合わせの全てが発明の解決手段に必須であるとは限らない。また、図面を参照して、実施例について説明するが、図面の記載において、同一または類似の部分には同一の参照番号を付して重複する説明を省く場合がある。
【実施例】
【００１１】図１は、本発明の手段を用いた提案型飲食店検索システム構成例である。【００１２】本実施形態の提案型飲食店検索システム１０は，利用者情報取得部３２から取得された利用者情報を記憶する利用者情報記憶部３１と，利用者嗜好性質問記憶部１１に記憶された利用者嗜好性質問を発信する利用者嗜好性配信部１２と，利用者嗜好性配信部１２から配信された嗜好性質問に対して利用者の利用端末２０から投稿された嗜好性情報と利用者情報記憶部３１から得られた嗜好性情報から成る利用者嗜好性情報２１を取得し，嗜好性記憶部１４に記憶する嗜好性取得部１３と，嗜好性記憶部１４に記憶された嗜好性情報を店舗条件に変換する嗜好性処理部１５と，嗜好性処理部１５から得られた店舗条件情報２２を記憶する店舗条件記憶部１６と，店舗条件記憶部１６に記憶された店舗条件情報２２と店舗情報データベースである店舗情報記憶部１７から提案店舗情報２３を取得する店舗情報取得部１８と，利用端末２０に提案店舗情報２３を提供する店舗情報配信部１９から成る。【００１３】また、提案型飲食店検索システム１０は、図示しないが、各種プログラムの演算処理を実行するＣＰＵ等の演算処理部と各種処理に用いられるプログラムや各種データ等を記憶する記憶部を有する。演算処理部は、処理に応じてプログラムやモジュール等が読み出し、後述する提案型飲食店検索システム１０を構成する各部の機能を実現する。さらに、キーボード等の入力装置、ディスプレイ等の表示装置等他のハードウェアを備えていてもよい。なお、後述する各記憶部は、データベース、データファイル等様々なデータ保存形式で記憶されるとよく、データベース、データファイルのデータ保存形式に限定されず、いかなるデータの保存形式であってもよい。【００１４】利用端末２０は、携帯電話、スマートフォン等の情報通信端末であり、入力手段と表示手段と通信手段とシステムを有するものであればよい。【００１５】利用者嗜好性質問記憶部１１は利用者の飲食店における嗜好性を調査するための質問を記憶する。ここでの質問は「味付けがあっさりかこってりしているか」「主食はコメかパンか麺か」「主菜は肉か魚か」「雰囲気は静かか賑やかか」等であり，利用者は選択肢から自分の嗜好性に合致するものを選択する形で提示を行う。【００１６】利用者嗜好性質問配信部１２は利用者嗜好性質問記憶部１１に記憶された質問を配信して利用者端末２０の画面上へ表示を行う。【００１７】嗜好性取得部１３は，利用者端末２０からネットワークを介して，利用者が投稿した嗜好性情報と，利用者情報記憶部３１に記憶された嗜好性情報から利用者嗜好性情報２１を取得すると，嗜好性記憶部１４に記憶する。【００１８】嗜好性記憶部１４は，利用者嗜好性情報２１を記憶する。ここで，利用者嗜好性情報２１は，様々な利用者の飲食に対する嗜好性の情報である。例えば，「こってりし味付けで主食が麺，主菜は肉で賑やかな雰囲気の店」等である。【００１９】嗜好性処理部１５は，嗜好性記憶部１４に記憶された利用者嗜好性情報２１を，その嗜好性に合致する店舗条件に変換処理をして店舗条件情報２２を取得する。そして取得した店舗条件情報２２を，店舗条件記憶部１６に記憶する。この店舗条件を取得する際に，利用者の現在の位置情報を利用者端末２０を介して取得をし，店舗条件情報２２へ組み込むことを前提とする。【００２０】店舗条件記憶部１６は，店舗条件情報２２を記憶する。ここで，店舗条件情報は嗜好性情報の要請を満たすための店舗固有の情報のことである。例えば嗜好性情報
「こってりし味付けで主食が麺，主菜は肉で賑やかな雰囲気の店」，位置情報「渋谷駅」に対して「サーロインステーキとラーメンがメニューにあるお店，渋谷駅周辺３００ｍ以内のエリア」等である。【００２１】店舗情報記憶部１７は存在する飲食店のメニューや予算，立地といった特徴を有しているデータベースである。【００２２】提案店舗情報取得部１８は店舗条件記憶部１６に記憶された店舗条件情報２２と店舗情報記憶部１７から利用者に提案する提案店舗情報２３を取得する。ここでの提案店舗情報２３は利用者に提案する店舗の候補と，候補店舗の店舗情報のことである。【００２３】提案店舗情報配信部１９は利用者端末２０の画面上に提案店舗情報２３を配信する。【００２４】利用者情報記憶部３１は利用者の個人情報と嗜好性情報を記憶する。個人情報は利用者の氏名や住所や連絡先等で，嗜好性情報は「肉が好みか魚が好みか」といった飲食の嗜好性情報である。【００２５】利用者情報取得部３２は利用者端末２０から登録された固有の個人情報を利用者情報記憶３１へ記憶する。
【符号の説明】
【００４１】１０・・・提案型飲食店検索システム
１１・・・利用者嗜好性質問記憶部
１２・・・利用者嗜好性質問配信部
１３・・・嗜好性取得部
１４・・・嗜好性記憶部
１５・・・嗜好性処理部
１６・・・店舗条件記憶部
１７・・・店舗情報記憶部
１８・・・提案店舗情報取得部
１９・・・提案店舗情報配信部
２０・・・利用者端末
２１・・・利用者嗜好性情報
２２・・・店舗条件情報
２３・・・提案店舗情報
３１・・・利用者情報記憶部
３２・・・利用者情報取得部
【図１】
2020091820.tif 000003